(57)【特許請求の範囲】
【請求項１】
２つの画像に関する画像データを個別のメモリ領域に格納するグラフィックメモリと、該グラフィックメモリに格納された画像データのアドレスを指示するアドレス設定部と、を備えるとともに、前記アドレス設定部によって指示されたアドレスに格納された画像データを出力する画像データ出力装置において、
画像データの読み出しが行われる水平方向に連続した複数画素分の座標位置情報を前記アドレス設定部に送出する座標位置設定部と、
前記２つの画像のうち上位に表示されるものを第１画像、下位に表示されるものを第２画像とし、
前記第１及び第２画像の垂直方向における重なる座標領域を第１領域、前記第１領域よりも上側に前記第１又は第２画像によって描かれる座標領域を第２領域、前記第１領域よりも下側に前記第１又は第２画像によって描かれる座標領域を第３領域とし、
又、前記第１領域において前記第１画像で描画される座標領域を第４領域、前記第１領域において前記第４領域の右側で前記第２画像で描画される座標領域を第５領域、前記第１領域において前記第４領域の左側で前記第２画像で描画される座標領域を第６領域としたとき、
前記第１領域の存否を確認するとともに前記第２及び第３領域がそれぞれ前記第１及び第２画像の何れの画像で描画されるかを検知し、
又、前記第１領域が存在することが確認されたとき、前記第４、第５及び第６領域それぞれの存否を確認することによって、前記第１画像で描かれる第１座標領域と前記第２画像で描かれる第２座標領域とを設定して、前記アドレス設定部に送出する領域設定部と、を有し、
前記アドレス設定部が、前記座標位置設定部より送出される前記座標位置情報を前記第１及び第２座標領域と比較することによって、前記グラフィックメモリより画像データを読み出すアドレスを設定して、前記グラフィックメモリに対して指示することを特徴とする画像データ出力装置。
【請求項２】
前記アドレス設定部が、
前記座標位置設定部より送出される座標位置情報より、前記領域設定部から与えられる前記第２領域内の座標位置を検出するとともに、この検出した座標位置と前記第２領域が描画される画像のアドレス位置とに応じて前記グラフィックメモリに指示するアドレスを設定する第１領域判定部と、
前記座標位置設定部より送出される座標位置情報より、前記領域設定部から与えられる前記第３領域内の座標位置を検出するとともに、この検出した座標位置と前記第３領域が描画される画像のアドレス位置とに応じて前記グラフィックメモリに指示するアドレスを設定する第２領域判定部と、
前記座標位置設定部より送出される座標位置情報より、前記領域設定部から与えられる前記第４領域内の座標位置を検出するとともに、この検出した座標位置と前記第１画像のアドレス位置とに応じて前記グラフィックメモリに指示するアドレスを設定する第３領域判定部と、
前記座標位置設定部より送出される座標位置情報より、前記領域設定部から与えられる前記第５領域内の座標位置を検出するとともに、この検出した座標位置と前記第２画像のアドレス位置とに応じて前記グラフィックメモリに指示するアドレスを設定する第４領域判定部と、
前記座標位置設定部より送出される座標位置情報より、前記領域設定部から与えられる前記第６領域内の座標位置を検出するとともに、この検出した座標位置と前記第２画像のアドレス位置とに応じて前記グラフィックメモリに指示するアドレスを設定する第５領域判定部と、
を有することを特徴とする請求項１に記載の画像データ出力装置。
【請求項３】
前記座標位置設定部より与えられる座標位置情報が、前記画像データが読み出される連続した複数画素の垂直方向の座標位置と、前記連続した複数画素の両端の２画素の水平方向の座標位置とを表した情報であることを特徴とする請求項１又は請求項２のいずれかに記載の画像データ出力装置。
【発明の詳細な説明】
【０００１】
【発明の属する技術分野】
本発明は、ディスプレイ上などに画像を表示するために、表示される画像の座標を設定して画像データを出力する画像データ出力装置に関するもので、特に、ＯＳＤ（On Screen Display）用のデータ（ＯＳＤデータ）を扱う画像データ出力装置に関する。
【０００２】
【従来の技術】
近年、放送信号より放送されている映像を再生するとともに、放送信号から得られたＯＳＤデータより決定される画像を再生するディスプレイなどの画像表示装置が開発されている。この画像表示装置は、放送されている映像にＯＳＤデータより得られる画像を重ねて再生するために、ＯＳＤデータに基づいた画像データを出力するための画像データ出力装置を有する。このＯＳＤデータに基づいた画像データによって複数の画像が形成されるが、この複数の画像が重なり合って表示されるとき、その重なり部分について何れの画像を形成する画像データを用いるか決定する必要がある。
【０００３】
従来、このような複数の画像が重なりあって表示されるとき、その重なり部分について上位に表示される画像の画像データを用いるために、図８のような画像データ出力装置が使用されている。尚、図８の画像データ出力装置は、２つの画像それぞれを形成する画像データを出力するための画像データ出力装置である。
【０００４】
図８の画像データ出力装置は、画像が表示される座標であるか否かが判定される座標判定器１０１，１０２と、上位の画像を形成する画像データを優先させるための優先度判定器１０３と、優先度判定器１０３で決定された画像データが格納されているアドレスを決定するアドレスセレクタ１０４と、２つの各画像を形成する画像データが格納されるグラフィックメモリ１０５と、を有する。
【０００５】
このような画像データ出力装置において、グラフィックメモリ１０５に図４のように表示される画像Ａ，Ｂを形成する画像データが格納されているものとする。画像Ａ，Ｂそれぞれを形成する画像データは、グラフィックメモリ１０５の異なるアドレス位置に連続的に格納されている。尚、画像Ａ，Ｂのうち、画像Ａが上位に表示されるものとし、画像Ａの座標情報が座標判定器１０１に与えられるとともに、画像Ｂの座標情報が座標判定器１０２に与えられている。
【０００６】
このとき、ディスプレイに画像を表示するために画像データを出力する座標位置を示す読み出し座標情報が、水平方向及び垂直方向に対して順番に、座標判定器１０１，１０２それぞれに与えられる。そして、座標判定器１０１が、この読み出し座標情報と画像Ａの座標情報を比較することで、読み出し座標情報が示す位置に画像Ａが描画されるか否かを判定し、又、座標判定器１０２が、この読み出し座標情報と画像Ｂの座標情報を比較することで、読み出し座標情報が示す位置に画像Ｂが描画されるか否かを判定する。この判定結果が優先度判定器１０３に与えられる。
【０００７】
そして、読み出し座標情報が示す位置が画像Ａ，Ｂの重なり部分であるとき、座標判定器１０１，１０２はそれぞれ画像Ａ，Ｂが描画されることを示す信号を優先度判定器１０３に出力することになる。このとき、優先度判定器１０３は、上位に描画される画像Ａの画像データがグラフィックメモリ１０５より出力されるように、アドレスセレクタ１０４を制御する。よって、アドレスセレクタ１０４は、読み出し座標情報が示す位置における画像Ａの画像データが格納されたアドレス位置をグラフィックメモリ１０５に対して指示する。そして、読み出し座標情報が示す位置には、アドレスセレクタ１０４によって指示されたアドレスに格納された画像Ａの画像データに基づいて、画像表示がなされる。
【０００８】
複数の画像を組み合わせてディスプレイ上に表示させるように、上述した手段を用いることによって、ＯＳＤデータによる各画像の画像データを、その表示させる座標位置毎に出力するグラフィック出力装置が、特開２０００−１６３０２８号公報に提示されている。
【０００９】
【発明が解決しようとする課題】
しかしながら、上述した図８の画像データ出力装置では、ディスプレイ上に表示させる座標位置を１画素毎切り換えて、何れの画像の画像データを出力するか判断することで、グラフィックメモリからの読み出しを行う必要がある。よって、領域毎に連続的に読み出しを行うことができず、画素毎に読み出しを行うため、画像データ出力装置を構成する各回路の処理速度に限界が生じるとともに、その処理動作にかかる負担が大きい。
【００１０】
このような問題を鑑みて、本発明は、画像データが格納されたメモリから領域毎に連続的に読み出すことができる画像データ出力装置を提供することを目的とする。
【００１６】
【課題を解決するための手段】
上記目的を達成するために、請求項１に記載の画像データ出力装置は、２つの画像に関する画像データを個別のメモリ領域に格納するグラフィックメモリと、該グラフィックメモリに格納された画像データのアドレスを指示するアドレス設定部と、を備えるとともに、前記アドレス設定部によって指示されたアドレスに格納された画像データを出力する画像データ出力装置において、画像データの読み出しが行われる水平方向に連続した複数画素分の座標位置情報を前記アドレス設定部に送出する座標位置設定部と、前記２つの画像のうち上位に表示されるものを第１画像、下位に表示されるものを第２画像とし、前記第１及び第２画像の垂直方向における重なる座標領域を第１領域、前記第１領域よりも上側に前記第１又は第２画像によって描かれる座標領域を第２領域、前記第１領域よりも下側に前記第１又は第２画像によって描かれる座標領域を第３領域とし、又、前記第１領域において前記第１画像で描画される座標領域を第４領域、前記第１領域において前記第４領域の右側で前記第２画像で描画される座標領域を第５領域、前記第１領域において前記第４領域の左側で前記第２画像で描画される座標領域を第６領域としたとき、
前記第１領域の存否を確認するとともに前記第２及び第３領域がそれぞれ前記第１及び第２画像の何れの画像で描画されるかを検知し、又、前記第１領域が存在することが確認されたとき、前記第４、第５及び第６領域それぞれの存否を確認することによって、前記第１画像で描かれる第１座標領域と前記第２画像で描かれる第２座標領域とを設定して、前記アドレス設定部に送出する領域設定部と、を有し、前記アドレス設定部が、前記座標位置設定部より送出される前記座標位置情報を前記第１及び第２座標領域と比較することによって、前記グラフィックメモリより画像データを読み出すアドレスを設定して、前記グラフィックメモリに対して指示することを特徴とする。
【００１９】
又、請求項２に記載するように、前記アドレス設定部が、前記座標位置設定部より送出される座標位置情報より、前記領域設定部から与えられる前記第２領域内の座標位置を検出するとともに、この検出した座標位置と前記第２領域が描画される画像のアドレス位置とに応じて前記グラフィックメモリに指示するアドレスを設定する第１領域判定定部と、前記座標位置設定部より送出される座標位置情報より、前記領域設定部から与えられる前記第３領域内の座標位置を検出するとともに、この検出した座標位置と前記第３領域が描画される画像のアドレス位置とに応じて前記グラフィックメモリに指示するアドレスを設定する第２領域判定部と、前記座標位置設定部より送出される座標位置情報より、前記領域設定部から与えられる前記第４領域内の座標位置を検出するとともに、この検出した座標位置と前記第１画像のアドレス位置とに応じて前記グラフィックメモリに指示するアドレスを設定する第３領域判定部と、前記座標位置設定部より送出される座標位置情報より、前記領域設定部から与えられる前記第５領域内の座標位置を検出するとともに、この検出した座標位置と前記第２画像のアドレス位置とに応じて前記グラフィックメモリに指示するアドレスを設定する第４領域判定部と、前記座標位置設定部より送出される座標位置情報より、前記領域設定部から与えられる前記第６領域内の座標位置を検出するとともに、この検出した座標位置と前記第２画像のアドレス位置とに応じて前記グラフィックメモリに指示するアドレスを設定する第５領域判定部と、を有することで、第１〜第５領域判定部のそれぞれがアドレスを設定して、読み出す画像データのアドレスを指示することで、アドレス領域毎に連続的に画像データを出力することができる。
【００２０】
請求項３に記載の画像データ出力装置は、請求項１又は請求項２のいずれかに記載の画像データ出力装置において、前記座標位置設定部より与えられる座標位置情報が、前記画像データが読み出される連続した複数画素の垂直方向の座標位置と、前記連続した複数画素の両端の２画素の水平方向の座標位置とを表した情報であることを特徴とする。
【００２１】
【発明の実施の形態】
本発明の実施形態について、図面を参照して説明する。図１は、本実施形態の画像データ出力装置の内部構成を示すブロック図である。図２は、グラフィックメモリ内に格納された画像データの状態を示す図である。図３は、図１の画像データ出力装置内に設けられたアドレス設定部の内部構成を示すブロック図である。
【００２２】
図１の画像データ出力装置は、ＯＳＤデータが与えられるとともに各ブロックの動作を制御するＣＰＵ１と、複数の画像を表す画像データがそれぞれ表示される領域を設定する領域設定部２と、画像データの読み出しを行うための座標位置を設定する座標位置設定部３と、グラフィックメモリ５に対して出力する画像データのアドレスを指示するアドレス設定部４と、画像データが各画像毎に格納されたグラフィックメモリ５と、出力する画像データのタイミング調整を行うバッファ６とを有する。
【００２３】
この画像データ出力装置において、グラフィックメモリ５には、図２のように、領域ａに矩形の画像Ａを表すための画像データが格納され、又、領域ｂに矩形の画像Ｂを表すための画像データが格納される。尚、矩形の画像Ａ，Ｂの垂直方向及び水平方向の大きさを表す情報はアドレス設定部４に格納される。又、画像Ａ，Ｂのような２つの矩形を表す画像が、図４のように重なり合うとき、５つの領域ができる。この５つの領域を、図４のように、領域ｐ、領域ｑ１、領域ｑ２、領域ｑ３、領域ｒと設定する。又、領域ｑ２が、画像Ａの画像データによって表示される領域とし、領域ｑ１，ｑ３が画像Ｂの画像データによって表示される領域とする。
【００２４】
又、座標位置設定部３は、バッファ６に格納されるデータ量に応じて、読み出しを行うための座標位置を設定し、設定した座標位置を座標情報としてアドレス設定部４に送出する。即ち、読み出しを行うラインを示すＹ座標（ｙ）と、このラインにおいて読み出しが行われる複数の座標位置を示すための読み出し開始位置となるＸ座標（ｘ１）及び読み出し終了位置となるＸ座標（ｘ２）とが、アドレス設定部４に送出される。尚、Ｘ座標が水平方向の位置を、Ｙ座標が垂直方向の位置を表す。
【００２５】
よって、今、画像データを出力するディスプレイが１ラインにｋ×ｎ個の画素が配されているとともに、バッファ６にｎ個の画素分のデータが格納されるものとする。このとき、まず、１ライン目の１画素目からｎ画素目までの画像データが読み出されるように、（ｘ１，ｘ２，ｙ）＝（１，ｎ，１）となる座標情報がアドレス設定部４に与えられる。そして、次に、１ライン目のｎ＋１画素目から２ｎ画素目までの画像データが読み出されるように、（ｘ１，ｘ２，ｙ）＝（ｎ＋１，２ｎ，１）となる座標情報がアドレス設定部４に与えられる。
【００２６】
このように、ｎ画素毎に画像データが読み出されるように、順番に座標情報が与えられ、（ｘ１，ｘ２，ｙ）＝（(ｋ−１)ｎ＋１，ｋｎ，１）となる座標情報がアドレス設定部４に与えられると、次に、２ライン目の１画素目からｎ画素目までの画像データが読み出されるように、（ｘ１，ｘ２，ｙ）＝（１，ｎ，２）となる座標情報がアドレス設定部４に与えられる。以下、同様にして、ｎ画素毎に画像データが読み出されるように、順番に座標情報が与えられる。
【００２７】
又、このような座標情報が座標位置設定部３より与えられるアドレス設定部４は、図３のように構成される。図３のアドレス設定部４は、領域ｐ〜ｒのそれぞれを判定する領域判定部４１〜４３と、領域判定部４１〜４３の判定結果をアドレスセレクタ４４に送出するＡＮＤゲートａ１〜ａ５と、グラフィックメモリ５より画像データを読み出すアドレスを指示するアドレスセレクタ４４とで構成される。尚、領域ｑは、領域ｑ１〜ｑ３で構成された領域である。
【００２８】
領域判定部４１〜４３は、それぞれ、座標情報ｙが与えられて領域ｐ〜ｒ内のＹ座標であるか否かを判定するＹ方向判定器４５ａ〜４５ｃを有する。又、領域判定部４１は、座標情報ｘ１，ｘ２より領域ｐ内のＸ座標を判定するＸ方向判定器４６ａを有し、領域判定部４３は、座標情報ｘ１，ｘ２より領域ｒ内のＸ座標を判定するＸ方向判定器４６ｅを有する。更に、領域判定部４２は、座標情報ｘ１，ｘ２より領域ｑ１〜ｑ３内のＸ座標をそれぞれ判定するＸ方向判定器４６ｂ〜４６ｄを有する。尚、Ｘ方向判定器４６ｂ，４６ｄは、その判定結果を送出するとともに画像Ｂの画像データを選択するようにアドレスセレクタ４４に指示し、又、Ｘ方向判定器４６ｃは、その判定結果を送出するとともに画像Ａの画像データを選択するようにアドレスセレクタ４４に指示する。
【００２９】
又、領域設定部２は、ディスプレイ上などに表示される画像Ａ，Ｂの座標位置などの情報がＣＰＵ１より与えられ、領域ｐ，ｑ１，ｑ２，ｑ３，ｒの存在を認識し、それぞれの領域の座標位置と、領域毎に画像Ａ，Ｂ何れの画像データを出力するか決定する。そして、領域設定部２で設定された領域の座標位置及びその領域に出力する画像データに関する情報が、アドレス設定部４内の領域判定部４１〜４３のそれぞれに与えられる。
【００３０】
この領域設定部２の動作について、図５及び図６を参照して説明する。尚、画像Ａが、ｘｂ＞ｘａ、ｙｂ＞ｙａとしたとき、座標（ｘａ，ｙａ）、（ｘａ，ｙｂ）、（ｘｂ，ｙａ）、（ｘｂ，ｙｂ）で表される４点を結んでなる矩形画像であり、又、画像Ｂが、ｘｄ＞ｘｃ、ｙｄ＞ｙｃとしたとき、座標（ｘｃ，ｙｃ）、（ｘｃ，ｙｄ）、（ｘｄ，ｙｃ）、（ｘｄ，ｙｄ）で表される４点を結んでなる矩形画像である。
【００３１】
このようにディスプレイ上などに表示される画像Ａ，Ｂの座標位置より、まず、領域ｐ〜ｒの判定が行われる。この領域ｐ〜ｒの判定について、図５を参照して説明する。図５のように、ｙａ＜ｙｃとなるとき、ｙｂ≦ｙｃ、ｙｃ＜ｙｂ＜ｙｄ、ｙｂ＝ｙｄ、ｙｄ＜ｙｂの４つの場合が、ｙａ＝ｙｃとなるとき又はｙｃ＜ｙａ＜ｙｄとなるとき、それぞれ、ｙｃ＜ｙｂ＜ｙｄ、ｙｂ＝ｙｄ、ｙｄ＜ｙｂの３つの場合が、更に、ｙｄ≦ｙａとなる場合が考えられる。よって、１１に場合分けして考える必要がある。尚、図５の開始座標欄及び終了座標欄における座標値はそれぞれ、その領域におけるＹ座標の最小値と最大値を表し、又、領域の所属欄における“○”、“×”は、領域ｑが存在するか否かを表す。
【００３２】
（１）ｙａ＜ｙｃ、ｙｂ≦ｙｃ
このとき、図５のように、画像Ａ，Ｂは、重なり合うことがなく、領域ｑが存在しない。よって、領域ｐが画像Ａ全体に所属するとともに、領域ｒが画像Ｂ全体に所属する。そして、領域ｐのＹ座標における開始座標及び終了座標がそれぞれｙａ、ｙｂとなり、又、領域ｒのＹ座標における開始座標及び終了座標がそれぞれｙｃ、ｙｄとなる。よって、領域設定部２は、Ｙ方向判定器４５ａに対して領域ｐの開始座標ｙａ及び終了座標ｙｂを、Ｙ方向判定器４５ｃに対して領域ｒの開始座標ｙｃ及び終了座標ｙｄを、送出する。
【００３３】
更に、このとき、領域ｐのＸ座標における開始座標及び終了座標がそれぞれｘａ、ｘｂとなり、又、領域ｒのＸ座標における開始座標及び終了座標がそれぞれｘｃ、ｘｄとなる。よって、領域設定部２は、Ｘ方向判定器４６ａに対して領域ｐの開始座標ｘａ及び終了座標ｘｂを、Ｘ方向判定器４６ｅに対して領域ｒの開始座標ｘｃ及び終了座標ｘｄを、送出する。又、Ｘ方向判定器４６ａに画像Ａの画像データを使用することを示す情報が、Ｘ方向判定器４６ｅに画像Ｂの画像データを使用することを示す情報が、それぞれ与えられる。尚、このとき、領域ｑが存在しないため、領域判定部４２にはＸ座標及びＹ座標のそれぞれにおける開始座標及び終了座標は送出されない。
【００３４】
（２）ｙａ＜ｙｃ、ｙｃ＜ｙｂ＜ｙｄ
このとき、図５のように、画像Ａ，Ｂは、Ｙ座標ｙｃ〜ｙｂの間で重なり合う。よって、領域ｑが存在するとともに、領域ｐが画像Ａの一部に所属し、領域ｒが画像Ｂの一部に所属する。そして、領域ｐのＹ座標における開始座標及び終了座標がそれぞれｙａ、ｙｃ−１となり、又、領域ｑのＹ座標における開始座標及び終了座標がそれぞれｙｃ、ｙｂとなり、又、領域ｒのＹ座標における開始座標及び終了座標がそれぞれｙｂ＋１、ｙｄとなる。よって、領域設定部２は、Ｙ方向判定器４５ａに対して領域ｐの開始座標ｙａ及び終了座標ｙｃ−１を、Ｙ方向判定器４５ｂに対して領域ｑの開始座標ｙｃ及び終了座標ｙｂを、Ｙ方向判定器４５ｃに対して領域ｒの開始座標ｙｂ＋１及び終了座標ｙｄを、送出する。
【００３５】
更に、このとき、領域ｐのＸ座標における開始座標及び終了座標がそれぞれｘａ、ｘｂとなり、又、領域ｒのＸ座標における開始座標及び終了座標がそれぞれｘｃ、ｘｄとなる。よって、領域設定部２は、Ｘ方向判定器４６ａに対して領域ｐの開始座標ｘａ及び終了座標ｘｂを、Ｘ方向判定器４６ｅに対して領域ｒの開始座標ｘｃ及び終了座標ｘｄを、送出する。又、Ｘ方向判定器４６ａに画像Ａの画像データを使用することを示す情報が、Ｘ方向判定器４６ｅに画像Ｂの画像データを使用することを示す情報が、それぞれ与えられる。尚、このとき、領域ｑについてのＸ座標における開始座標及び終了座標と使用する画像データを示す情報とが、領域判定部４２にも与えられるが、画像Ａ，Ｂの重なる状態によって異なるため、これについては後述する。
【００３６】
（３）ｙａ＜ｙｃ、ｙｂ＝ｙｄ
このとき、図５のように、画像Ａ，Ｂは、Ｙ座標ｙｃ〜ｙｂ（＝ｙｄ）の間で重なり合う。よって、領域ｑが存在するとともに、領域ｐが画像Ａの一部に所属する。又、このとき、ｙｂ＝ｙｄとなるため、領域ｒは存在しない。そして、領域ｐのＹ座標における開始座標及び終了座標がそれぞれｙａ、ｙｃ−１となり、又、領域ｑのＹ座標における開始座標及び終了座標がそれぞれｙｃ、ｙｂとなる。よって、領域設定部２は、Ｙ方向判定器４５ａに対して領域ｐの開始座標ｙａ及び終了座標ｙｃ−１を、Ｙ方向判定器４５ｂに対して領域ｑの開始座標ｙｃ及び終了座標ｙｂを、送出する。
【００３７】
更に、このとき、領域ｐのＸ座標における開始座標及び終了座標がそれぞれｘａ、ｘｂとなる。よって、領域設定部２は、Ｘ方向判定器４６ａに対して領域ｐの開始座標ｘａ及び終了座標ｘｂを送出する。又、Ｘ方向判定器４６ａに画像Ａの画像データを使用することを示す情報が与えられる。尚、このとき、領域ｑについてのＸ座標における開始座標及び終了座標と使用する画像データを示す情報とが、領域判定部４２にも与えられるが、画像Ａ，Ｂの重なる状態によって異なるため、これについては後述する。又、領域ｒが存在しないため、領域判定部４３にはＸ座標及びＹ座標のそれぞれにおける開始座標及び終了座標は送出されない。
【００３８】
（４）ｙａ＜ｙｃ、ｙｄ＜ｙｂ
このとき、図５のように、画像Ａ，Ｂは、Ｙ座標ｙｃ〜ｙｄの間で重なり合う。よって、領域ｑが存在するとともに、領域ｐ，ｒがそれぞれ画像Ａの一部に所属する。そして、領域ｐのＹ座標における開始座標及び終了座標がそれぞれｙａ、ｙｃ−１となり、又、領域ｑのＹ座標における開始座標及び終了座標がそれぞれｙｃ、ｙｄとなり、又、領域ｒのＹ座標における開始座標及び終了座標がそれぞれｙｄ＋１、ｙｂとなる。よって、領域設定部２は、Ｙ方向判定器４５ａに対して領域ｐの開始座標ｙａ及び終了座標ｙｃ−１を、Ｙ方向判定器４５ｂに対して領域ｑの開始座標ｙｃ及び終了座標ｙｄを、Ｙ方向判定器４５ｃに対して領域ｒの開始座標ｙｄ＋１及び終了座標ｙｂを、送出する。
【００３９】
更に、このとき、領域ｐのＸ座標における開始座標及び終了座標がそれぞれｘａ、ｘｂとなり、又、領域ｒのＸ座標における開始座標及び終了座標もそれぞれｘａ、ｘｂとなる。よって、領域設定部２は、Ｘ方向判定器４６ａ，４６ｅのそれぞれに対して領域ｐ，ｒそれぞれの開始座標ｘａ及び終了座標ｘｂを送出する。又、Ｘ方向判定器４６ａ，４６ｅのそれぞれに画像Ａの画像データを使用することを示す情報が与えられる。尚、このとき、領域ｑについてのＸ座標における開始座標及び終了座標と使用する画像データを示す情報とが、領域判定部４２にも与えられるが、画像Ａ，Ｂの重なる状態によって異なるため、これについては後述する。
【００４０】
（５）ｙａ＝ｙｃ、ｙｃ＜ｙｂ＜ｙｄ
このとき、図５のように、画像Ａ，Ｂは、Ｙ座標ｙａ（＝ｙｃ）〜ｙｂの間で重なり合う。よって、領域ｑが存在するとともに、領域ｒが画像Ｂの一部に所属する。又、このとき、ｙａ＝ｙｃとなるため、領域ｐは存在しない。そして、領域ｑのＹ座標における開始座標及び終了座標がそれぞれｙａ、ｙｂとなり、又、領域ｒのＹ座標における開始座標及び終了座標がそれぞれｙｂ＋１、ｙｄとなる。よって、領域設定部２は、Ｙ方向判定器４５ｂに対して領域ｑの開始座標ｙａ及び終了座標ｙｂを、Ｙ方向判定器４５ｃに対して領域ｒの開始座標ｙｂ＋１及び終了座標ｙｄを、送出する。
【００４１】
更に、このとき、領域ｒのＸ座標における開始座標及び終了座標がそれぞれｘｃ、ｘｄとなる。よって、領域設定部２は、Ｘ方向判定器４６ｅに対して領域ｒの開始座標ｘｃ及び終了座標ｘｄを送出する。又、Ｘ方向判定器４６ｅに画像Ｂの画像データを使用することを示す情報が与えられる。尚、このとき、領域ｑについてのＸ座標における開始座標及び終了座標と使用する画像データを示す情報とが、領域判定部４２にも与えられるが、画像Ａ，Ｂの重なる状態によって異なるため、これについては後述する。又、領域ｐが存在しないため、領域判定部４１にはＸ座標及びＹ座標のそれぞれにおける開始座標及び終了座標は送出されない。
【００４２】
（６）ｙａ＝ｙｃ、ｙｂ＝ｙｄ
このとき、図５のように、画像Ａ，Ｂは、Ｙ座標ｙａ（＝ｙｃ）〜ｙｂ（＝ｙｄ）の間で重なり合う。よって、領域ｑのみが存在するとともに、領域ｐ，ｒが存在しない。そして、領域ｑのＹ座標における開始座標及び終了座標がそれぞれｙａ、ｙｂとなる。よって、領域設定部２は、Ｙ方向判定器４５ｂに対して領域ｑの開始座標ｙａ及び終了座標ｙｂを送出する。更に、このとき、領域ｑについてのＸ座標における開始座標及び終了座標と使用する画像データを示す情報とが、領域判定部４２にも与えられるが、画像Ａ，Ｂの重なる状態によって異なるため、これについては後述する。又、領域ｐ，ｒが存在しないため、領域判定部４１，４３のそれぞれには、Ｘ座標及びＹ座標のそれぞれにおける開始座標及び終了座標は送出されない。
【００４３】
（７）ｙａ＝ｙｃ、ｙｄ＜ｙｂ
このとき、図５のように、画像Ａ，Ｂは、Ｙ座標ｙａ（＝ｙｃ）〜ｙｄの間で重なり合う。よって、領域ｑが存在するとともに、領域ｒが画像Ａの一部に所属する。又、このとき、ｙａ＝ｙｃとなるため、領域ｐは存在しない。そして、領域ｑのＹ座標における開始座標及び終了座標がそれぞれｙａ、ｙｄとなり、又、領域ｒのＹ座標における開始座標及び終了座標がそれぞれｙｄ＋１、ｙｂとなる。よって、領域設定部２は、Ｙ方向判定器４５ｂに対して領域ｑの開始座標ｙａ及び終了座標ｙｄを、Ｙ方向判定器４５ｃに対して領域ｒの開始座標ｙｄ＋１及び終了座標ｙｂを、送出する。
【００４４】
更に、このとき、領域ｒのＸ座標における開始座標及び終了座標がそれぞれｘａ、ｘｂとなる。よって、領域設定部２は、Ｘ方向判定器４６ｅに対して領域ｒの開始座標ｘａ及び終了座標ｘｂを送出する。又、Ｘ方向判定器４６ｅに画像Ａの画像データを使用することを示す情報が与えられる。尚、このとき、領域ｑについてのＸ座標における開始座標及び終了座標と使用する画像データを示す情報とが、領域判定部４２にも与えられるが、画像Ａ，Ｂの重なる状態によって異なるため、これについては後述する。又、領域ｐが存在しないため、領域判定部４１にはＸ座標及びＹ座標のそれぞれにおける開始座標及び終了座標は送出されない。
【００４５】
（８）ｙｃ＜ｙａ＜ｙｄ、ｙｃ＜ｙｂ＜ｙｄ
このとき、図５のように、画像Ａ，Ｂは、Ｙ座標ｙａ〜ｙｂの間で重なり合う。よって、領域ｑが存在するとともに、領域ｐ，ｒがそれぞれ画像Ｂの一部に所属する。そして、領域ｐのＹ座標における開始座標及び終了座標がそれぞれｙｃ、ｙａ−１となり、又、領域ｑのＹ座標における開始座標及び終了座標がそれぞれｙａ、ｙｂとなり、又、領域ｒのＹ座標における開始座標及び終了座標がそれぞれｙｂ＋１、ｙｄとなる。よって、領域設定部２は、Ｙ方向判定器４５ａに対して領域ｐの開始座標ｙｃ及び終了座標ｙａ−１を、Ｙ方向判定器４５ｂに対して領域ｑの開始座標ｙａ及び終了座標ｙｂを、Ｙ方向判定器４５ｃに対して領域ｒの開始座標ｙｂ＋１及び終了座標ｙｄを、送出する。
【００４６】
更に、このとき、領域ｐのＸ座標における開始座標及び終了座標がそれぞれｘｃ、ｘｄとなり、又、領域ｒのＸ座標における開始座標及び終了座標もそれぞれｘｃ、ｘｄとなる。よって、領域設定部２は、Ｘ方向判定器４６ａ，４６ｅのそれぞれに対して領域ｐ，ｒそれぞれの開始座標ｘｃ及び終了座標ｘｄを送出する。又、Ｘ方向判定器４６ａ，４６ｅのそれぞれに画像Ｂの画像データを使用することを示す情報が与えられる。尚、このとき、領域ｑについてのＸ座標における開始座標及び終了座標と使用する画像データを示す情報とが、領域判定部４２にも与えられるが、画像Ａ，Ｂの重なる状態によって異なるため、これについては後述する。
【００４７】
（９）ｙｃ＜ｙａ＜ｙｄ、ｙｂ＝ｙｄ
このとき、図５のように、画像Ａ，Ｂは、Ｙ座標ｙａ〜ｙｂ（＝ｙｄ）の間で重なり合う。よって、領域ｑが存在するとともに、領域ｐが画像Ｂの一部に所属する。又、このとき、ｙｂ＝ｙｄとなるため、領域ｒは存在しない。そして、領域ｐのＹ座標における開始座標及び終了座標がそれぞれｙｃ、ｙａ−１となり、又、領域ｑのＹ座標における開始座標及び終了座標がそれぞれｙａ、ｙｂとなる。よって、領域設定部２は、Ｙ方向判定器４５ａに対して領域ｐの開始座標ｙｃ及び終了座標ｙａ−１を、Ｙ方向判定器４５ｂに対して領域ｑの開始座標ｙａ及び終了座標ｙｂを、送出する。
【００４８】
更に、このとき、領域ｐのＸ座標における開始座標及び終了座標がそれぞれｘｃ、ｘｄとなる。よって、領域設定部２は、Ｘ方向判定器４６ａに対して領域ｐの開始座標ｘｃ及び終了座標ｘｄを送出する。又、Ｘ方向判定器４６ａに画像Ｂの画像データを使用することを示す情報が与えられる。尚、このとき、領域ｑについてのＸ座標における開始座標及び終了座標と使用する画像データを示す情報とが、領域判定部４２にも与えられるが、画像Ａ，Ｂの重なる状態によって異なるため、これについては後述する。又、領域ｒが存在しないため、領域判定部４３にはＸ座標及びＹ座標のそれぞれにおける開始座標及び終了座標は送出されない。
【００４９】
（１０）ｙｃ＜ｙａ＜ｙｄ、ｙｄ＜ｙｂ
このとき、図５のように、画像Ａ，Ｂは、Ｙ座標ｙａ〜ｙｄの間で重なり合う。よって、領域ｑが存在するとともに、領域ｐが画像Ｂの一部に所属し、領域ｒが画像Ａの一部に所属する。そして、領域ｐのＹ座標における開始座標及び終了座標がそれぞれｙｃ、ｙａ−１となり、又、領域ｑのＹ座標における開始座標及び終了座標がそれぞれｙａ、ｙｄとなり、又、領域ｒのＹ座標における開始座標及び終了座標がそれぞれｙｄ＋１、ｙｂとなる。よって、領域設定部２は、Ｙ方向判定器４５ａに対して領域ｐの開始座標ｙｃ及び終了座標ｙａ−１を、Ｙ方向判定器４５ｂに対して領域ｑの開始座標ｙａ及び終了座標ｙｄを、Ｙ方向判定器４５ｃに対して領域ｒの開始座標ｙｄ＋１及び終了座標ｙｂを、送出する。
【００５０】
更に、このとき、領域ｐのＸ座標における開始座標及び終了座標がそれぞれｘｃ、ｘｄとなり、又、領域ｒのＸ座標における開始座標及び終了座標がそれぞれｘａ、ｘｂとなる。よって、領域設定部２は、Ｘ方向判定器４６ａに対して領域ｐの開始座標ｘｃ及び終了座標ｘｄを、Ｘ方向判定器４６ｅに対して領域ｒの開始座標ｘａ及び終了座標ｘｂを、送出する。又、Ｘ方向判定器４６ａに画像Ｂの画像データを使用することを示す情報が、Ｘ方向判定器４６ｅに画像Ａの画像データを使用することを示す情報が、それぞれ与えられる。尚、このとき、領域ｑについてのＸ座標における開始座標及び終了座標と使用する画像データを示す情報とが、領域判定部４２にも与えられるが、画像Ａ，Ｂの重なる状態によって異なるため、これについては後述する。
【００５１】
（１１）ｙｄ≦ｙａ
このとき、図５のように、画像Ａ，Ｂは、重なり合うことがなく、領域ｑが存在しない。よって、領域ｐが画像Ｂ全体に所属するとともに、領域ｒが画像Ａ全体に所属する。そして、領域ｐのＹ座標における開始座標及び終了座標がそれぞれｙｃ、ｙｄとなり、又、領域ｒのＹ座標における開始座標及び終了座標がｙａ、ｙｂそれぞれとなる。よって、領域設定部２は、Ｙ方向判定器４５ａに対して領域ｐの開始座標ｙｃ及び終了座標ｙｄを、Ｙ方向判定器４５ｃに対して領域ｒの開始座標ｙａ及び終了座標ｙｂを、送出する。
【００５２】
更に、このとき、領域ｐのＸ座標における開始座標及び終了座標がそれぞれｘｃ、ｘｄとなり、又、領域ｒのＸ座標における開始座標及び終了座標がそれぞれｘａ、ｘｂとなる。よって、領域設定部２は、Ｘ方向判定器４６ａに対して領域ｐの開始座標ｘｃ及び終了座標ｘｄを、Ｘ方向判定器４６ｅに対して領域ｒの開始座標ｘａ及び終了座標ｘｂを、送出する。又、Ｘ方向判定器４６ａに画像Ｂの画像データを使用することを示す情報が、Ｘ方向判定器４６ｅに画像Ａの画像データを使用することを示す情報が、それぞれ与えられる。尚、このとき、領域ｑが存在しないため、領域判定部４２にはＸ座標及びＹ座標のそれぞれにおける開始座標及び終了座標は送出されない。
【００５３】
上述したように、領域ｐ〜ｒの判定が行われたとき、領域ｑの存在が確認されたとき、次に、領域ｑ１〜ｑ３の判定が行われる。この領域ｑ１〜ｑ３の判定について、図６を参照して説明する。図６のように、ｘａ＜ｘｃとなるとき、ｘｂ≦ｘｃ、ｘｃ＜ｘｂ＜ｘｄ、ｘｄ≦ｘｂの３つの場合が、ｘｃ＜ｘａ＜ｘｄとなるとき、ｘｃ＜ｘｂ＜ｘｄ、ｘｄ≦ｘｂの２つの場合が、更に、ｘｄ≦ｘａとなる場合が考えられる。よって、６に場合分けして考える必要がある。尚、図６の開始座標欄及び終了座標欄における座標値はそれぞれ、その領域におけるＸ座標の最小値と最大値を表し、又、領域の所属欄における“×”は、領域が存在しないことを表す。
【００５４】
（１）ｘａ＜ｘｃ、ｘｂ≦ｘｃ
このとき、図６のように、画像Ａ，Ｂは、重なり合うことがない。よって、領域ｑ１が存在せず、領域ｑ２が画像Ａ全体に所属するとともに、領域ｑ３が画像Ｂ全体に所属するものとすることができる。そして、領域ｑ２のＸ座標における開始座標及び終了座標がそれぞれｘａ、ｘｂとなり、又、領域ｑ３のＸ座標における開始座標及び終了座標がそれぞれｘｃ、ｘｄとなる。よって、領域設定部２は、Ｘ方向判定器４６ｃに対して領域ｑ２の開始座標ｘａ及び終了座標ｘｂを、Ｘ方向判定器４６ｄに対して領域ｑ３の開始座標ｘｃ及び終了座標ｘｄを、送出する。尚、このとき、領域ｑ１が存在しないため、領域判定部４６ｂにはＸ座標における開始座標及び終了座標は送出されない。
【００５５】
（２）ｘａ＜ｘｃ、ｘｃ＜ｘｂ＜ｘｄ
このとき、図６のように、画像Ａ，Ｂは、重なり合う。よって、領域ｑ１が存在せず、領域ｑ２が画像Ａ全体に所属するとともに、領域ｑ３が画像Ｂの一部に所属するものとすることができる。そして、領域ｑ２のＸ座標における開始座標及び終了座標がそれぞれｘａ、ｘｂとなり、又、領域ｑ３のＸ座標における開始座標及び終了座標がそれぞれｘｂ＋１、ｘｄとなる。よって、領域設定部２は、Ｘ方向判定器４６ｃに対して領域ｑ２の開始座標ｘａ及び終了座標ｘｂを、Ｘ方向判定器４６ｄに対して領域ｑ３の開始座標ｘｂ＋１及び終了座標ｘｄを、送出する。尚、このとき、領域ｑ１が存在しないため、領域判定部４６ｂにはＸ座標における開始座標及び終了座標は送出されない。
【００５６】
（３）ｘａ＜ｘｃ、ｘｄ≦ｘｂ
このとき、図６のように、画像Ａ，Ｂは、重なり合う。よって、領域ｑ１及び領域ｑ３が存在せず、領域ｑ２が画像Ａ全体に所属するものとすることができる。そして、領域ｑ２のＸ座標における開始座標及び終了座標がそれぞれｘａ、ｘｂとなる。よって、領域設定部２は、Ｘ方向判定器４６ｃに対して領域ｑ２の開始座標ｘａ及び終了座標ｘｂを送出する。尚、このとき、領域ｑ１，ｑ３が存在しないため、領域判定部４６ｂ，４６ｄにはＸ座標における開始座標及び終了座標は送出されない。
【００５７】
（４）ｘｃ＜ｘａ＜ｘｄ、ｘｃ＜ｘｂ＜ｘｄ
このとき、図６のように、画像Ａ，Ｂは、重なり合う。よって、領域ｑ１，ｑ３が画像Ｂの一部に所属するとともに、領域ｑ２が画像Ａ全体に所属するものとすることができる。そして、領域ｑ１のＸ座標における開始座標及び終了座標がｘｃ、ｘａ−１となり、又、領域ｑ２のＸ座標における開始座標及び終了座標がそれぞれｘａ、ｘｂとなり、又、領域ｑ３のＸ座標における開始座標及び終了座標がそれぞれｘｂ＋１、ｘｄとなる。よって、領域設定部２は、Ｘ方向判定器４６ｂに対して領域ｑ１の開始座標ｘｃおよび終了座標ｘａ−１を、Ｘ方向判定器４６ｃに対して領域ｑ２の開始座標ｘａ及び終了座標ｘｂを、Ｘ方向判定器４６ｄに対して領域ｑ３の開始座標ｘｂ＋１及び終了座標ｘｄを、送出する。
【００５８】
（５）ｘｃ＜ｘａ＜ｘｄ、ｘｄ≦ｘｂ
このとき、図６のように、画像Ａ，Ｂは、重なり合う。よって、領域ｑ３が存在せず、領域ｑ１が画像Ｂの一部に所属するとともに、領域ｑ２が画像Ａ全体に所属するものとすることができる。そして、領域ｑ１のＸ座標における開始座標及び終了座標がｘｃ、ｘａ−１となり、又、領域ｑ２のＸ座標における開始座標及び終了座標がそれぞれｘａ、ｘｂとなる。よって、領域設定部２は、Ｘ方向判定器４６ｂに対して領域ｑ１の開始座標ｘｃおよび終了座標ｘａ−１を、Ｘ方向判定器４６ｃに対して領域ｑ２の開始座標ｘａ及び終了座標ｘｂを、送出する。尚、このとき、領域ｑ３が存在しないため、領域判定部４６ｂにはＸ座標における開始座標及び終了座標は送出されない。
【００５９】
（６）ｘｄ≦ｘａ
このとき、図６のように、画像Ａ，Ｂは、重なり合う。よって、領域ｑ３が存在せず、領域ｑ１が画像Ｂ全体に所属するとともに、領域ｑ２が画像Ａ全体に所属するものとすることができる。そして、領域ｑ１のＸ座標における開始座標及び終了座標がｘｃ、ｘｄとなり、又、領域ｑ２のＸ座標における開始座標及び終了座標がそれぞれｘａ、ｘｂとなる。よって、領域設定部２は、Ｘ方向判定器４６ｂに対して領域ｑ１の開始座標ｘｃおよび終了座標ｘｄを、Ｘ方向判定器４６ｃに対して領域ｑ２の開始座標ｘａ及び終了座標ｘｂを、送出する。尚、このとき、領域ｑ３が存在しないため、領域判定部４６ｂにはＸ座標における開始座標及び終了座標は送出されない。
【００６０】
このように領域設定部２は、ＣＰＵ１より送出される情報を基に、各領域の設定を行い、設定された各領域の座標情報や各領域に使用される画像データに関する情報をアドレス設定部４内の領域判定器４１〜４３に送出する。この各領域に関する情報が領域判定器４１〜４３に与えられたときの画像データ出力装置の動作について、図７の例を代表して、以下に説明する。
【００６１】
今、図７のように、垂直方向にｍ画素、水平方向に２ｎ画素、配列されたディスプレイ上に、画像Ａ，Ｂが表示されるように、画像データ出力装置より画像データが出力されるものとする。又、画像Ａ，Ｂを構成する上述した点の各座標の値が、１＜ｘｃ＜ｘａ＜ｎ＜ｘｂ＜ｘｄ＜２ｎ、１＜ｙａ＜ｙｃ＜ｙｄ＜ｙｂ＜ｍとなる場合を例に挙げて説明する。更に、バッファ６にｎ個の画素分のデータが格納されるものとする。
【００６２】
まず、上述したように、座標位置設定部３より、１ライン目の１画素目からｎ画素目までの画像データが読み出されるように、（ｘ１，ｘ２，ｙ）＝（１，ｎ，１）となる座標情報がアドレス設定部４に与えられる。今、１＜ｙａで、ｙａ−１ライン目までは、画像が表示されないので、Ｙ方向判定器４５ａ〜４５ｃからの出力がローレベルとなり、アンドゲートａ１〜ａ５は動作せず、Ｘ方向判定器４６ａ〜４６ｅからのデータがアドレスセレクタ４４に送出されない。
【００６３】
尚、読み出すラインの位置に係わらず、座標位置設定部３より座標情報（ｘ１，ｘ２）＝（１，ｎ）が与えられると、Ｘ方向判定器４６ａ，４６ｅが画像Ａの画像データの読み出しとＸ座標における開始座標ｘａ及び終了座標ｎに関する情報を、Ｘ方向判定器４６ｂが画像Ｂの画像データの読み出しとＸ座標における開始座標ｘｃ及び終了座標ｘａ−１に関する情報を、Ｘ方向判定器４６ｃが画像Ａの画像データの読み出しとＸ座標における開始座標ｘａ及び終了座標ｎに関する情報を、出力する。
【００６４】
次に、上述したように、座標位置設定部３より、１ライン目のｎ＋１画素目から２ｎ画素目までの画像データが読み出されるように、（ｘ１，ｘ２，ｙ）＝（ｎ＋１，２ｎ，１）となる座標情報がアドレス設定部４に与えられる。今、１＜ｙａで、ｙａ−１ライン目までは、画像が表示されないので、Ｙ方向判定器４５ａ〜４５ｃからの出力がローレベルとなり、アンドゲートａ１〜ａ５は動作せず、Ｘ方向判定器４６ａ〜４６ｅからのデータがアドレスセレクタ４４に送出されない。
【００６５】
尚、読み出すラインの位置に係わらず、座標位置設定部３より座標情報（ｘ１，ｘ２）＝（ｎ＋１，２ｎ）が与えられると、Ｘ方向判定器４６ａ，４６ｅが画像Ａの画像データの読み出しとＸ座標における開始座標ｎ＋１及び終了座標ｘｂに関する情報を、Ｘ方向判定器４６ｃが画像Ａの画像データの読み出しとＸ座標における開始座標ｎ＋１及び終了座標ｘｂに関する情報を、Ｘ方向判定器４６ｄが画像Ｂの画像データの読み出しとＸ座標における開始座標ｘｂ＋１及び終了座標ｘｄに関する情報を、出力する。
【００６６】
このように、座標情報（１，ｎ，１）〜（ｎ＋１，２ｎ，ｙａ−１）が座標位置設定部３より与えられる間、アンドゲートａ１〜ａ５は動作せず、Ｘ方向判定器４６ａ〜４６ｅからのデータがアドレスセレクタ４４に送出されない。そして、座標情報（１，ｎ，ｙａ）が座標位置設定部３より与えられると、Ｙ方向判定器４５ａの出力がハイレベルとなるため、Ｘ方向判定器４６ａより出力される画像Ａの画像データの読み出しとＸ座標における開始座標ｘａ及び終了座標ｎに関する情報がアンドゲートａ１を介してアドレスセレクタ４４に送出される。よって、グラフィックメモリ５内の領域ａに格納された画像データがｎ−ｘａ＋１個分、連続的に読み出されてバッファ６に送出される。
【００６７】
このとき、ｙａ＜ｙｃであるため、ｙｃ−１ライン目までは、領域ｐが表示されることになるので、Ｙ方向判定器４５ｂ，４５ｃからの出力がローレベルとなり、アンドゲートａ２〜ａ５は動作せず、Ｘ方向判定器４６ｂ〜４６ｅからのデータがアドレスセレクタ４４に送出されない。
【００６８】
その後、座標情報（ｎ＋１，２ｎ，ｙａ）が座標位置設定部３より与えられると、Ｙ方向判定器４５ａの出力がハイレベルとなるため、Ｘ方向判定器４６ａより出力される画像Ａの画像データの読み出しとＸ座標における開始座標ｎ＋１及び終了座標ｘｂに関する情報がアンドゲートａ１を介してアドレスセレクタ４４に送出される。よって、グラフィックメモリ５内の領域ａに格納された画像データがｘｂ−ｎ個分、連続的に読み出されてバッファ６に送出される。
【００６９】
このとき、ｙａ＜ｙｃであるため、ｙｃ−１ライン目までは、領域ｐが表示されることになるので、Ｙ方向判定器４５ｂ，４５ｃからの出力がローレベルとなり、アンドゲートａ２〜ａ５は動作せず、Ｘ方向判定器４６ｂ〜４６ｅからのデータがアドレスセレクタ４４に送出されない。このように、座標情報（１，ｎ，ｙａ）〜（ｎ＋１，２ｎ，ｙｃ−１）が座標位置設定部３より与えられる間、アンドゲートａ１のみが動作を行い、画像Ａを表す画像データが領域ｐを表示するために、バッファ６に順に送出された後、タイミング調整されて出力される。
【００７０】
そして、座標情報（１，ｎ，ｙｃ）が座標位置設定部３より与えられると、Ｙ方向判定器４５ｂの出力がハイレベルとなるため、Ｘ方向判定器４６ｂより出力される画像Ｂの画像データの読み出しとＸ座標における開始座標ｘｃ及び終了座標ｘａ−１に関する情報がアンドゲートａ２を介して、又、Ｘ方向判定器４６ｃより出力される画像Ａの画像データの読み出しとＸ座標における開始座標ｘａ及び終了座標ｎに関する情報がアンドゲートａ３を介して、アドレスセレクタ４４に送出される。又、ｎ＜ｘｄであるので、Ｘ方向判定器４６ｄから出力されるデータはない。
【００７１】
よって、グラフィックメモリ５内の領域ｂに格納された画像データがｘａ−ｘｃ個分、グラフィックメモリ５内の領域ａに格納された画像データがｎ−ｘａ＋１個分、それぞれ連続的に読み出されてバッファ６に送出される。このとき、ｙｃ−１＜ｙｃ＜ｙｄ＋１であるため、ｙｄライン目までは、領域ｑが表示されることになるので、Ｙ方向判定器４５ａ，４５ｃからの出力がローレベルとなり、アンドゲートａ１，ａ５は動作せず、Ｘ方向判定器４６ａ，４６ｅからのデータがアドレスセレクタ４４に送出されない。
【００７２】
そして、座標情報（ｎ＋１，２ｎ，ｙｃ）が座標位置設定部３より与えられると、Ｙ方向判定器４５ｂの出力がハイレベルとなるため、Ｘ方向判定器４６ｃより出力される画像Ａの画像データの読み出しとＸ座標における開始座標ｎ＋１及び終了座標ｘｂに関する情報がアンドゲートａ３を介して、又、Ｘ方向判定器４６ｄより出力される画像Ｂの画像データの読み出しとＸ座標における開始座標ｘｂ＋１及び終了座標ｘｄに関する情報がアンドゲートａ４を介して、アドレスセレクタ４４に送出される。又、ｘｃ＜ｎ＋１であるので、Ｘ方向判定器４６ｂから出力されるデータはない。
【００７３】
よって、グラフィックメモリ５内の領域ａに格納された画像データがｘｂ−ｎ個分、グラフィックメモリ５内の領域ｂに格納された画像データがｘｄ−ｘｂ個分、それぞれ連続的に読み出されてバッファ６に送出される。このとき、ｙｃ−１＜ｙｃ＜ｙｄ＋１であるため、ｙｄライン目までは、領域ｑが表示されることになるので、Ｙ方向判定器４５ａ，４５ｃからの出力がローレベルとなり、アンドゲートａ１，ａ５は動作せず、Ｘ方向判定器４６ａ，４６ｅからのデータがアドレスセレクタ４４に送出されない。
【００７４】
このように、座標情報（１，ｎ，ｙｃ）〜（ｎ＋１，２ｎ，ｙｄ）が座標位置設定部３より与えられる間、アンドゲートａ２〜ａ４が動作を行い、画像Ｂを表す画像データが領域ｑ１，ｑ３を表示するために、又、画像Ａを表す画像データが領域ｑ２を表示するために、画像データがそれぞれライン毎にｑ１，ｑ２，ｑ３の順に、バッファ６に送出された後、タイミング調整されて出力される。
【００７５】
そして、座標情報（１，ｎ，ｙｄ＋１）が座標位置設定部３より与えられると、Ｙ方向判定器４５ｃの出力がハイレベルとなるため、Ｘ方向判定器４６ｅより出力される画像Ａの画像データの読み出しとＸ座標における開始座標ｘａ及び終了座標ｎに関する情報がアンドゲートａ５を介して、アドレスセレクタ４４に送出される。よって、グラフィックメモリ５内の領域ａに格納された画像データがｎ−ｘａ＋１個分、それぞれ連続的に読み出されてバッファ６に送出される。
【００７６】
このとき、ｙｄ＋１＜ｙｂ＋１であるため、ｙｂライン目までは、領域ｒが表示されることになるので、Ｙ方向判定器４５ａ，４５ｂからの出力がローレベルとなり、アンドゲートａ１〜ａ４は動作せず、Ｘ方向判定器４６ａ〜４６ｄからのデータがアドレスセレクタ４４に送出されない。
【００７７】
そして、座標情報（ｎ＋１，２ｎ，ｙｄ＋１）が座標位置設定部３より与えられると、Ｙ方向判定器４５ｃの出力がハイレベルとなるため、Ｘ方向判定器４６ｅより出力される画像Ａの画像データの読み出しとＸ座標における開始座標ｎ＋１及び終了座標ｘｂに関する情報がアンドゲートａ５を介して、アドレスセレクタ４４に送出される。よって、グラフィックメモリ５内の領域ａに格納された画像データがｎ−ｘｂ個分、それぞれ連続的に読み出されてバッファ６に送出される。
【００７８】
このとき、ｙｄ＋１＜ｙｂ＋１であるため、ｙｂライン目までは、領域ｒが表示されることになるので、Ｙ方向判定器４５ａ，４５ｂからの出力がローレベルとなり、アンドゲートａ１〜ａ４は動作せず、Ｘ方向判定器４６ａ〜４６ｄからのデータがアドレスセレクタ４４に送出されない。このように、座標情報（１，ｎ，ｙｄ＋１）〜（ｎ＋１，２ｎ，ｙｂ）が座標位置設定部３より与えられる間、アンドゲートａ５のみが動作を行い、画像Ａを表す画像データが領域ｒを表示するために、バッファ６に順に送出された後、タイミング調整されて出力される。
【００７９】
そして、座標情報（１，ｎ，ｙｂ＋１）が座標位置設定部３より与えられると、ｙｂ＜ｙｂ＋１で、ｙｂ＋１ライン目以降は、画像が表示されないので、Ｙ方向判定器４５ａ〜４５ｃからの出力がローレベルとなり、アンドゲートａ１〜ａ５は動作せず、Ｘ方向判定器４６ａ〜４６ｅからのデータがアドレスセレクタ４４に送出されない。
【００８０】
又、次に、座標情報（ｎ＋１，２ｎ，ｙｂ＋１）が座標位置設定部３より与えられたときも同様、Ｙ方向判定器４５ａ〜４５ｃからの出力がローレベルとなり、アンドゲートａ１〜ａ５は動作せず、Ｘ方向判定器４６ａ〜４６ｅからのデータがアドレスセレクタ４４に送出されない。このように、座標情報（１，ｎ，ｙｂ＋１）〜（ｎ＋１，２ｎ，ｍ）が座標位置設定部３より与えられる間、アンドゲートａ１〜ａ５は動作せず、Ｘ方向判定器４６ａ〜４６ｅからのデータがアドレスセレクタ４４に送出されない。
【００８１】
このようにして、各ブロックが動作することによって、バッファ６によってタイミング調整された画像データが出力され、この画像データに基づいて、ディスプレイ上に、図７のような画像が表示される。尚、図７以外の場合においても、領域設定部２で設定された領域ｐ，ｑ１，ｑ２，ｑ３，ｒに関する情報に基づいて、アドレス設定部４が動作することによって、グラフィックメモリ５に格納された連続的に画像データを読み出して、バッファ６を通じて出力することができる。
【００８２】
【発明の効果】
本発明によると、表示される各画像の状態に応じて、その座標領域を設定し、設定された座標領域毎に表示される画像を認識することができる。そして、連続した複数画素分の画像データを読み出す際、設定された座標領域に基づいて、読み出す画像データのアドレスが設定されるため、その座標領域に応じて連続的にグラフィックメモリ内に格納された各画像の画像データを読み出すことができる。よって、従来のように、１画素分毎に何れの画像の画像データを読み出す必要があるのか判断して出力するのではなく、連続的に複数の画素分毎に画像データの読み出しを行うことができる。そして、その処理速度を向上させることができるとともに、読み出す際の処理動作にかかる各回路にかかる負担を低減させることができる。
【図面の簡単な説明】
【図１】本発明の画像データ出力装置の内部構成を示すブロック図。
【図２】グラフィックメモリ内に格納された画像データの状態を示す図。
【図３】アドレス設定部の内部構成を示す図。
【図４】画像の状態を示す図。
【図５】領域設定部の動作を示す図。
【図６】領域設定部の動作を示す図。
【図７】表示される画像の状態を示す図。
【図８】従来の画像データ出力装置の内部構成を示す図。
【符号の説明】
１    ＣＰＵ
２    領域設定部
３    座標位置設定部
４    アドレス設定部
５    グラフィックメモリ
６    バッファ
【図１】
0003883801.tif 000002
【図２】
0003883801.tif 000003
【図３】
0003883801.tif 000004
【図４】
0003883801.tif 000005
【図５】
0003883801.tif 000006
【図６】
0003883801.tif 000007
【図７】
0003883801.tif 000008
【図８】
0003883801.tif 000009